【事件の表示】
　特願２００９−１８２６７９「インテリアシミュレーションシステム」拒絶査定不服審判事件〔平成２１年１１月　５日出願公開、特開２００９−２５９２８３〕について、次のとおり審決する。
【結　論】
　本件審判の請求は、成り立たない。
【理　由】
１．手続の経緯 
　本願は、平成１２年７月２６日を出願日とする出願である特願２０００−２２４６７８号の一部を平成２１年８月５日に特許法第４４条第１項の規定により新たな特許出願（特願２００９−１８２６７９号）としたものであって、手続の概要は以下のとおりである。 　 
拒絶理由通知　　　　　　　：平成２３年　７月２２日（起案日） 
手続補正　　　　　　　　　：平成２３年　９月２６日 
拒絶理由通知（最後）　　　：平成２３年１０月２６日（起案日） 
手続補正　　　　　　　　　：平成２３年１２月１５日
補正却下　　　　　　　　　：平成２４年　１月２０日（起案日）
拒絶査定　　　　　　　　　：平成２４年　１月２０日（起案日）
拒絶査定不服審判請求　　　：平成２４年　６月１１日 
手続補正　　　　　　　　　：平成２４年　６月１１日 
前置審査報告　　　　　　　：平成２４年　７月１３日（起案日） 
審尋　　　　　　　　　　　：平成２４年１０月３１日（起案日） 
審尋に対する応答なし 
 　 
２．平成２４年６月１１日付け手続補正についての補正却下の決定  
 　  
［補正却下の決定の結論］  
　平成２４年６月１１日付けの手続補正を却下する。  
 　  
［理由］  
（１）本件補正  
　平成２４年６月１１日付けの手続補正（以下「本件補正」という）は、特許請求の範囲の請求項１についての補正を含み、当該補正は、補正前の請求項１（平成２３年９月２６日付け手続補正書に記載された請求項１）における３次元画像閲覧ページに、願書に最初に添付した明細書及び図面に記載された範囲内の構成である「上記表示する透視図の３次元画像の統一したスタイルを変更するための各スタイル毎に設けたスタイル変更釦」も表示されるように、当該構成を付加し限定するものである。 
　
（２）補正の適法性  
　ア　補正の目的  
　上記請求項１についての補正は、補正前の請求項１に記載した発明を特定するために必要な事項を限定するものであって、かつ、補正の前後において発明の産業上の利用分野及び解決しようとする課題は同一であるから、同補正は、特許請求の範囲の減縮を目的とする補正に該当する。 
 　 
　イ　独立特許要件  
　そこで、以下、上記補正後の請求項１に係る発明（以下「補正後発明」という）が独立特許要件（特許法第１７条の２第５項において準用する同法第１２６条第５項の規定）を満たすか否かについて検討する。  
 　 
（ア）補正後発明  
　補正後発明は、上記補正後の請求項１の次の記載により特定されるものである。  
　
「【請求項１】
　コンピュータにより室内の透視図を３次元画像でディスプレー上に表示するインテリアシミュレーションシステムであって、
　該インテリアシミュレーションシステムを、コンピュータと、ディスプレーで構成し、
　上記コンピュータに、
　室内のインテリアを複数の異なるスタイルに区分けすると共にスタイルにより区分けされたそれぞれの室内の３次元形状データ及びテクスチャーデータを蓄積した３次元画データファイルと、
　上記ディスプレー上において表示する透視図の視点位置・観察方向を移動するための視点位置・観察方向移動処理手段と、
　上記ディスプレー上において表示する透視図のスタイルを変更するスタイル変更処理手段とを備え、
　上記ディスプレー上で透視図の３次元画像を表示する３次元画像閲覧ページに、上記表示する透視図の３次元画像の統一したスタイルを変更するための各スタイル毎に設けたスタイル変更釦と、視点位置・観察方向を変更して３次元画像を表示するための視点位置・観察方向移動釦とが表示され、
　この視点位置・観察方向移動釦が、視点を前に移動させるための視点前移動用釦、視点を後に移動させるための視点後移動用釦、視点を左に移動させるための視点左移動用釦、視点を右に移動させるための視点右移動用釦、観察方向を移動させるための観察方向移動用釦、視点高さを変更するための視点高さ変更用釦を
　備えて成ることを特徴とするインテリアシミュレーションシステム。」
　
（イ）刊行物１ 
　ａ．刊行物１の記載 
　原査定の拒絶理由に引用された特開平９−１３８８１６号公報（以下「刊行物１」という）には、「ＣＧ画像による室内装飾具の選択調整方法」（発明の名称）について、図１〜図３，図１５〜図１９等と共に次の記載がある。 
　
「【０００１】
【発明の属する技術分野】本発明は、いわゆる、インテリア・コーディネイトの方法に係り、詳しくは、建築物に付属する各種室内装飾具の組合せを、ＣＧ画像（コンピュータグラフィックスによる画像）を用いて画面上で選択、調整できるようにした、ＣＧ画像による室内装飾具の選択調整方法に関する。」
　
「【０００５】そのため、請求項１に係るＣＧ画像による室内装飾具の選択調整方法は、建築物に付属する各種室内装飾具に関する３次元形状データをＣＡＤ( ComputerAided Design）システムにより予め作成してライブラリーとして記憶すると共に、前記各種室内装飾具を複数種組み合わせてなる組合せを予め複数組構成しておき、前記複数組の組合せの中から所望の組合せを選択して画面上にＣＧ画像として表示した後、必要により、前記選択した組合せ中の任意の室内装飾具を削除するか、又は前記選択した組合せに前記ライブラリー中の任意の室内装飾具を追加することにより、前記選択した組合せを変更し、変更後の室内装飾具の組合せを前記画面上に表示するようにしたことを特徴とするものである。
【０００６】前記複数組の組合せは、例えば、様式及び色調を統一した室内装飾具の組合せとすることができる。顧客は、まず、複数組の中から所望の組合せを選択する。そして、顧客がこの標準的な組合せに満足である場合は、そのまま、室内装飾具の選択、調整作業を終了する。」
　
「【００１９】図１５にも示すように、ワークステーション１５は、テーブル１６上に載置されたＣＲＴ１７（Cathode Ray Tube) 、キーボード１８、マウス１９、プリンタ２１、及び前記テーブル１６の下方に配置された入出力兼演算装置２２等を備え、予めＣＡＤシステムにより作成された建築物に関する３次元形状データと、オペレータＯ（又は鑑賞者Ｖ自身）によるキーボード１８及びマウス１９等の入力操作とに応じてＣＧ画像用データが生成され、これに基づいて、ＣＲＴ１７と前記スクリーン８とに、前記建築物に関するＣＧ画像が同時に表示されるようになっている。」
　
「【００２７】更に、一般ＣＡＤシステムで、室内に配置すべき各種室内装飾具、例えば、家具、調度、絵画、植物及び照明器具等に関する３次元形状データを作成し（Ｓ５）、これらを、例えば、前記ハードディスク３５内の室内装飾具用のライブラリーに蓄えておく（Ｓ６）。
【００２８】又、前記のような室内装飾具を適宜組み合わせてなる組合せを複数組構成し、前記ハードディスク３５内に記憶しておく。」
　
「【００３４】以下、表示形態の一例として、前記ワークステーション１５で作成した、前記住宅Ｚ、外構、室内装飾具等に関する静止画又は動画を、ＣＲＴ１７とスクリーン８とに同時に表示する場合につき説明する。図２３に示すように、ＣＲＴ１７上にはカーソルＧが表示され、このカーソルＧは、例えば、キーボード１８上の４個のカーソルキー１８ａを選択的に操作することにより、ＣＲＴ１７の画面１７ａ上で上下方向及び／又は左右方向へ移動可能である。
【００３５】そして、前記レンダリングの基準となる仮想的な視点位置は、カーソルＧを前記画面１７ａ上で上方へ移動させると前記視点位置が高くなり、カーソルＧを下方へ移動させると前記視点位置が低くなると共に、カーソルＧを右又は左方向へ移動させると、それに応じて視点（視線）の向きが右又は左方向へ旋回するようになっている。更に、マウス１９に付属した、左ボタン１９ａを押圧すると視点位置が前進し、中ボタン１９ｂを押圧すると視点位置の前後方向への移動が停止し、右ボタン１９ｃを押圧すると視点位置が後退するようになっている。」
　
「【００３９】屋内の各部屋に配置すべき室内装飾具は、スクリーン８上で選択、調整することができる。例えば、前記居間Ｊに配置すべき各種室内装飾具を選択、調整する場合、前記した、例えば、８通りの組合せ（図１乃至図３にその内の３通りを示す）の中から、最も自己の好みに近い組合せをキーボード１８又はマウス１９等の操作で選択する。例えば、図１のトラディショナル（様式）−ミディアム（色調）の組合せＡを選択した場合、該トラディショナル−ミディアムの組合せを配置した状態の居間Ｊがスクリーン８に表示される。」
　
　ｂ．刊行物１記載の発明 
　上記刊行物１の記載によると、刊行物１には、ＣＧ画像による室内装飾具の選択調整方法に関して、以下の要件を有する発明が記載されている。
　 
　建築物に付属する各種室内装飾具の組合せを、ＣＧ画像（コンピュータグラフィックスによる画像）を用いて画面上で選択、調整できるようにした、ＣＧ画像による室内装飾具の選択調整方法であって（【０００１】）、
　各種室内装飾具に関する３次元形状データをＣＡＤ( ComputerAided Design）システムにより予め作成してライブラリーとして記憶すると共に、前記各種室内装飾具を複数種組み合わせてなる組合せを予め複数組構成しておき、前記複数組の組合せの中から所望の組合せを選択して画面上にＣＧ画像として表示し（【０００５】）、
　上記複数組の組合わせは、例えば、様式及び色調を統一した室内装飾具の組合わせであり（【０００６】）、
　その表示形態の一例として、室内装飾具等に関する静止画又は動画（上記選択された室内装飾具の組合わせのＣＧ画像）等を、ＣＲＴ１７とスクリーン８に表示し、ＣＲＴ１７上に表示されたカーソルＧをキーボード１８のカーソルキー１８ａで上方に移動させると視点位置が高くなり、下方に移動させると視点位置が低くなると共に、カーソルＧを右又は左方向へ移動させると、それに応じて視点（視線）の向きが右又は左方向へ旋回するようにし、更にマウス１９のボタン操作で、視点位置を前進、停止、後退させるようにし（【００３４】，【００３５】）、
　上記スクリーン８上で、上記室内装飾具の組合わせ例えば８通りの組合わせの中から，所望の組合わせをキーボード１８又はマウス１９等の操作で選択する（【００３９】）、
ＣＧ画像による室内装飾具の選択調整方法。 
 　 
　上記方法の発明が有する、それぞれの動作「表示」、「カーソルＧをキーボード１８のカーソルキー１８ａで上方に移動させると視点位置が高くなり」、「下方に移動させると視点位置が低くなると共に、カーソルＧを右又は左方向へ移動させると、それに応じて視点（視線）の向きが右又は左方向へ旋回するようにし」、「更にマウス１９のボタン操作で、視点位置を前進、停止、後退させるようにし」、「所望の組合わせをキーボード１８又はマウス１９等の操作で選択する」は、当該動作を実現するための（実現）手段を有しているといえ、したがって、上記選択調整方法は、当該手段を有する調整装置（調整システム）の発明であるといえるから、刊行物１には、以下の発明（以下、引用発明ともいう）が開示されているといえる。
　
　建築物に付属する各種室内装飾具の組合せを、ＣＧ画像（コンピュータグラフィックスによる画像）を用いて画面上で選択、調整できるようにした、ＣＧ画像による室内装飾具の選択調整システムであって（【０００１】）、
　各種室内装飾具に関する３次元形状データをＣＡＤ( ComputerAided Design）システムにより予め作成してライブラリーとして記憶すると共に、前記各種室内装飾具を複数種組み合わせてなる組合せを予め複数組構成しておき、前記複数組の組合せの中から所望の組合せを選択して画面上にＣＧ画像として表示する手段（【０００５】）、
　上記複数組の組合わせは、例えば、様式及び色調を統一した室内装飾具の組合わせであり（【０００６】）、
　その表示形態の一例として、室内装飾具等に関する静止画又は動画（上記選択された室内装飾具の組合わせのＣＧ画像）等を、ＣＲＴ１７とスクリーン８に表示し、ＣＲＴ１７上に表示されたカーソルＧをキーボード１８のカーソルキー１８ａで上方に移動させると視点位置が高くなり、下方に移動させると視点位置が低くなると共に、カーソルＧを右又は左方向へ移動させると、それに応じて視点（視線）の向きが右又は左方向へ旋回するようにし、更にマウス１９のボタン操作で、視点位置を前進、停止、後退させるようにする各手段（【００３４】，【００３５】）、
　上記スクリーン８上で、上記室内装飾具の組合わせ例えば８通りの組合わせの中から，所望の組合わせをキーボード１８又はマウス１９等の操作で選択する手段（【００３９】）、
を有するＣＧ画像による室内装飾具の選択調整システム。
　
（ウ）対比 
 　以下、補正後発明を引用発明と対比する。
　ａ．発明の対象について 
　引用発明のシステムは、上記のとおり、建築物に付属する各種室内装飾具（インテリア）を、ＣＧ画像を用いて画面上で（画面上でシミュレーション表示して）選択、調整できるようにしたもので、その具体例（【００１９】、図１５参照）では、ワークステーション１５が備える入出力兼演算装置２２（補正後発明でいう「コンピュータ」に相当）により、予めＣＡＤシステムによって作成された建築物に関する３次元形状データとオペレータの入力操作とに応じてＣＧ画像用データを生成し、当該データに基づいてＣＲＴ１７とスクリーン８とに建造物に関するＣＧ画像を表示する（すなわち、補正後発明でいう「室内の透視図を３次元画像でディスプレイ上に表示する」）ようにしているのであるから、引用発明も、補正後発明と同様、「コンピュータにより室内の透視図を３次元画像でディスプレー上に表示するインテリアシミュレーションシステム」といえるものである。
  よって、補正後発明と引用発明とは発明の対象において一致している。
　
　ｂ．システム構成について
　補正後発明では、「該インテリアシミュレーションシステムを、コンピュータと、ディスプレイで構成し、」としているが、引用発明のシステムも、「画面上にＣＧ画像として表示する手段」を有しており、その具体的な手段は、上記ａ．で検討したとおり「コンピュータ（入出力兼演算装置２２）により室内の透視図をディスプレイに表示する」ものであるから、補正後発明と同様に「コンピュータと、ディスプレイで構成」されているといえ、この点では補正後発明と同じである。
　
　ｃ．３次元画データファイルについて
　補正後発明では、「上記コンピュータに、室内のインテリアを複数の異なるスタイルに区分けすると共にスタイルにより区分けされたそれぞれの室内の３次元形状データ及びテクスチャーデータを蓄積した３次元画データファイル」を備えるとしているところ、この点に対応して、引用発明では「各種室内装飾具に関する３次元形状データをＣＡＤ( ComputerAided Design）システムにより予め作成してライブラリーとして記憶すると共に、前記各種室内装飾具を複数種組み合わせてなる組合せを予め複数組構成しておき、」としているといえる。
　ここで、引用発明における上記各種室内装飾具の複数組の組合わせは、上記のとおり「例えば、様式及び色調を統一した室内装飾具の組合わせ」であるというのであるから、各種室内装飾具（インテリア）の様式及び色調を統一した組合わせを予め複数組構成しているといえ、当該複数組構成された様式及び色調を統一した組合わせは、補正後発明でいうように「複数の異なるスタイルに区分け」したものといえる。
　また、引用発明において、各種室内装飾具の組合わせを上記のように“予め複数組構成しておく”とは、刊行物１の上記【００２８】に「室内装飾具を適宜組合わせてなる組合わせを複数組構成し、前記ハードディスク３５内に記憶しておく。」とあるから、室内装飾具を上記複数の異なるスタイルで区分けし、各区分ごとの室内装飾具の組み合わせをハードディスク３５に適宜のデータファイルとして記憶しておくものといえ、かつ、上記ハードディスク３５は、図１７に示されるように上記入出力兼演算装置２２（コンピュータ）が備えるハードディスクである。
　そして、引用発明は、上記ハードディスクに記憶された各区分ごとの室内装飾具の組み合わせに基づいて、３次元表示を行っているといえるから、上記組み合わせは、３次元表示のためのデータといえ、補正後発明も３次元形状データ及びテクスチャーデータに基づき３次元表示を行っているのであるから、これらのデータは、３次元表示のためのデータである点で一致しているといえる。
　よって、引用発明は、補正後発明との対応でみると、「上記コンピュータに、室内のインテリアを複数の異なるスタイルに区分けすると共にスタイルにより区分けされたそれぞれの室内の３次元表示のためのデータを蓄積した３次元画データファイル」を備えているといえ、この点で補正後発明と共通する。
　しかしながら、上記３次元画データファイルが、補正後発明では「３次元形状データ及びテクスチャーデータ」を蓄積したものとしているのに対し、引用発明では単に「３次元表示のためのデータ」を蓄積しているものであるから、この点では両者は相違する。
　
　ｄ．視点位置・観察方向移動処理手段手段とスタイル変更処理手段について
　補正後発明では、上記コンピュータに、「上記ディスプレー上において表示する透視図の視点位置・観察方向を移動するための視点位置・観察方向移動処理手段と、上記ディスプレイ上において表示する透視図のスタイルを変更するスタイル変更処理手段」を備えるとしているが、引用発明でも、前記したようにコンピュータ（入出力兼演算装置２２）により室内の透視図を３次元画像でディスプレイ上に表示する上で、「ＣＲＴ１７上に表示されたカーソルＧをキーボード１８のカーソルキー１８ａで上方に移動させると視点位置が高くなり、下方に移動させると視点位置が低くなると共に、カーソルＧを右又は左方向へ移動させると、それに応じて視点（視線）の向きが右又は左方向へ旋回するようにし、更にマウス１９のボタン操作で、視点位置を前進、停止、後退させるようにする各手段」や、「上記室内装飾具の組合わせ例えば８通りの組合わせの中から，所望の組合わせをキーボード１８又はマウス１９等の操作で選択する手段」を有しているのであるから、上記コンピュータには、補正後発明でいう上記視点位置・観察方向移動処理手段とスタイル変更処理手段と同様の手段が設けられているといえ、よってこの点で両者は一致している。
　
　ｅ．スタイル変更釦、視点位置・観察方向移動釦について
　補正後発明では、「上記ディスプレー上で透視図の３次元画像を表示する３次元画像閲覧ページに、上記表示する透視図の３次元画像の統一したスタイルを変更するための各スタイル毎に設けたスタイル変更釦と、視点位置・観察方向を変更して３次元画像を表示するための視点位置・観察方向移動釦とが表示され、」としているところ、まず上記スタイル変更釦について、引用発明では、前記したように、「室内装飾具等に関する静止画又は動画（上記選択された室内装飾具の組合わせのＣＧ画像）等を、ＣＲＴ１７とスクリーン８に表示し、」「上記スクリーン８上で、上記室内装飾具の組合わせ例えば８通りの組合わせの中から，所望の組合わせをキーボード１８又はマウス１９等の操作で選択する」ことができるようにしているが、この点は、補正後発明の上記スタイル変更釦との対応でみると、“上記ディスプレー上で透視図の３次元画像を表示する３次元画像閲覧ページ上において、上記表示する透視図の３次元画像の統一したスタイルを変更する操作ができるようにした”といえるものであり、よって引用発明はこの点で補正後発明と共通している。
　しかしながら、上記３次元画像閲覧ページ上で上記のようなスタイルを変更する操作ができるようにする上で、補正後発明では、上記３次元画像閲覧ページに「各スタイル毎に設けたスタイル変更釦」を表示するようにしているのに対し、引用発明では上記スタイルを変更する操作の実施手法は特に示されていないから、この点では両者は相違する。
　次に上記視点位置・観察方向移動釦について、引用発明では、上記のようなＣＲＴ１７上でのＣＧ画像（３次元画像）の表示を前提に、「ＣＲＴ１７上に表示されたカーソルＧをキーボード１８のカーソルキー１８ａで上方に移動させると視点位置が高くなり、下方に移動させると視点位置が低くなると共に、カーソルＧを右又は左方向へ移動させると、それに応じて視点（視線）の向きが右又は左方向へ旋回するようにし、更にマウス１９のボタン操作で、視点位置を前進、停止、後退させるようにし、」としているところ、この点は、補正後発明の上記視点位置・観察方向移動釦との対応でみると、“上記ディスプレー上で透視図の３次元画像を表示する３次元画像閲覧ページ上において、視点位置・観察方向を変更して３次元画像を表示するための操作ができるようにした”といえるものであり、よって引用発明はこの点で補正後発明と共通している。
  しかしながら、上記３次元画像閲覧ページ上で、上記視点位置・観察方向を変更して３次元画像を表示するための操作ができるようにする上で、補正後発明では、上記３次元画像閲覧ページに「視点位置・観察方向移動釦」を表示し、かつこの釦が「視点を前に移動させるための視点前移動用釦、視点を後に移動させるための視点後移動用釦、視点を左に移動させるための視点左移動用釦、視点を右に移動させるための視点右移動用釦、観察方向を移動させるための観察方向移動用釦、視点高さを変更するための視点高さ変更用釦を備えて成る」ものであるとしているのに対し、引用発明では、上記のように、３次元画像閲覧ページ上に表示されたカーソルＧを移動させる操作とマウス１９のボタン操作で上記３次元画像の視点位置・観察方向を変更するようにしており、また視点位置の変更態様について、補正後発明での上記前後、左右への移動と高さ変更のうち左右への移動は行っていないから、この点で両者は相違する。
　
　ｆ．対比結果のまとめ（一致点および相違点） 
　以上の対比結果をまとめると、補正後発明と引用発明との一致点および相違点は次のとおりである。  
 　 
 ［一致点］ 
  両者はいずれも
「コンピュータにより室内の透視図を３次元画像でディスプレー上に表示するインテリアシミュレーションシステムであって、
　該インテリアシミュレーションシステムを、コンピュータと、ディスプレーで構成し、
　上記コンピュータに、
　室内のインテリアを複数の異なるスタイルに区分けすると共にスタイルにより区分けされたそれぞれの室内の３次元表示のためのデータを蓄積した３次元画データファイルと、
　上記ディスプレー上において表示する透視図の視点位置・観察方向を移動するための視点位置・観察方向移動処理手段と、
　上記ディスプレー上において表示する透視図のスタイルを変更するスタイル変更処理手段とを備え、
　上記ディスプレー上で透視図の３次元画像を表示する３次元画像閲覧ページ上において、上記表示する透視図の３次元画像の統一したスタイルを変更するための操作と、視点位置・観察方向を変更して３次元画像を表示するための操作ができるようにしたことを特徴とするインテリアシミュレーションシステム」　
である点。
　
［相違点］
　i）上記３次元画データファイルが、補正後発明では「３次元形状データ及びテクスチャーデータ」を蓄積したものとしているのに対し、引用発明では単に「３次元表示のためのデータ」を蓄積しているものである点。
　ii）上記３次元画像閲覧ページ上において、上記のように表示する透視図の３次元画像の統一したスタイルを変更する操作ができるようにする上で、補正後発明では、上記３次元画像閲覧ページ上に各スタイル毎に設けたスタイル変更釦を表示するようにしているのに対し、引用発明では上記スタイルを変更する操作の実施手法は特に示されていない点。
　iii）上記３次元画像閲覧ページ上において、視点位置・観察方向を変更して３次元画像を表示するための操作ができるようにする上で、補正後発明では、上記３次元画像閲覧ページ上に「視点位置・観察方向移動釦」が表示され、かつこの釦が「視点を前に移動させるための視点前移動用釦、視点を後に移動させるための視点後移動用釦、視点を左に移動させるための視点左移動用釦、視点を右に移動させるための視点右移動用釦、観察方向を移動させるための観察方向移動用釦、視点高さを変更するための視点高さ変更用釦を備えて成る」ものであるとしているのに対し、引用発明では、上記３次元画像閲覧ページ上に表示されたカーソルＧを移動させる操作とマウス１９のボタン操作で上記３次元画像の視点位置・観察方向を変更するようにしており、また視点位置の変更態様について、補正後発明での上記前後、左右への移動と高さ変更のうち左右への移動は行っていない点。 　 
　
（エ）判断 
　ａ．相違点i）について 
　一般にコンピュータで生成した３次元画像（透視図）データをファイル化する上で、ファイル内に３次元形状データとテクスチャーデータを合わせて蓄積しておくことは、例えば原査定の拒絶の理由に引用された特開平８−３０６７４号公報（刊行物２）の段落【００５８】、図４等にも示されるように周知の技術であるから、引用発明における３次元画像データのファイル化に適宜当該周知技術を適用し、その上記３次元画データファイルを補正後発明のように「３次元形状データ及びテクスチャデータを蓄積した」ものとすることは当業者が容易になし得たことである。
　
　ｂ．相違点ii）について
　補正後発明における上記透視図のスタイルは、明細書での説明からも明らかなように、予め幾つかに定められているものであって、 補正後発明における上記「各スタイル毎に設けたスタイル変更釦」の表示は、そのように幾つかに定められているスタイルのうちから所望のものを選択し得るよう、各スタイル毎に個別の選択釦を上記閲覧ページ上に表示するようにしたというものである。　
　然るに、一般に幾つかに定められている選択対象の各々に対して個別の選択釦を画面上に表示することはいうまでもなく常套のＧＵＩ手法であり、引用発明でも、選択対象である上記透視図のスタイルは、前記のとおり例えば８つ（８通りの室内装飾具の組合わせ）に定められているものである。
　よって、引用発明における上記透視図のスタイルの選択に上記常套のＧＵＩ手法を適宜適用し、補正後発明のように、上記３次元画像閲覧ページ上に「各スタイル毎に設けたスタイル変更釦」を表示するようにすることは当業者が容易に想到し得たことである。
　
　ｃ．相違点iii）について
　一般に３次元のＣＧ画像（仮想空間画像）を視点位置と視線方向を変えて表示する（いわゆる「ウォークスルー」する）上で、上記ＣＧ画像を表示するディスプレイ上に当該ＣＧ画像の視点位置と視線方回を変更操作するための操作ボタンを表示する（ディスプレイ上のボタン操作で上記ＣＧ画像の視点位置と視線方向の操作を可能とする）ことは、例えば原査定の拒絶理由に引用された特開２０００−１１３２１１号公報（以下「刊行物３」という）、特開２０００−２９８８５号公報（以下「刊行物４」という）、特開２０００−１７２７４０号公報（以下「刊行物５」という）に示されるように周知の技術である。（これら各刊行物の記載中、特に刊行物３の段落【００５５】，図１９等、刊行物４の段落【００１８】，図２，図３等、刊行物５の段落【０００８】，【００１１】，図２等参照。）
　上記周知技術は、上記刊行物３〜５の記載からも明らかなように、各種の３次元ＣＧ画像（以下単に「３次元画像」ともいう）に適用されており、例えば上記刊行物３での３次元画像は、図１９から明らかなように、引用発明における室内装飾具（インテリア）の組合わせのシュミレーション画像ともいえるものである。
　また、上記周知技術は、上記刊行物３〜５にも示されているように、上記操作ボタンにより変更操作可能とする視点移動方向と視線方向を適宜選択的に定め、定めた各方向毎に個別操作できる操作ボタンを表示するものであって、どの方向の操作ボタンを設けるかは特に限定的なものではなく、例えば上記刊行物４には、視点位置を変更操作する操作ボタンについて、前後、左右、高さ（上下）の各方向のいずれにも個別操作できるボタン（段落【００１８】記載の「前後左右方向への移動制御ボタン３６０」と「高さ制御ボタン３７０」、図３参照）を表示するようにした例も示されている。
　そして、上記刊行物３には、上記操作ボタンによる視点位置と視線方向の変更操作のほか、この変更操作をマウスボタンのクリックやマウスの移動（ドラッグ）によって行うことも記載され（段落【００５０】〜【００５３】）、上記操作ボタンによる変更操作は、上記マウスボタンのクリックやマウスの移動による変更操作に代えて用い得るものである旨の記載があり、そうすると、引用発明での前記カーソルの移動やマウスボタンのクリックによる視点位置・観察方向の変更操作を上記周知技術のようなディスプレイ上に表示した操作ボタンによる変更操作に置き換え得ることは、上記刊行物３の記載から当業者が容易に予測し得たことである。
　よって、引用発明において、適宜上記周知技術を適用し、補正後発明のように、上記３次元画像閲覧ページ上に「視点位置・観察方向移動釦」が表示され、かつこの釦が「視点を前に移動させるための視点前移動用釦、視点を後に移動させるための視点後移動用釦、視点を左に移動させるための視点左移動用釦、視点を右に移動させるための視点右移動用釦、観察方向を移動させるための観察方向移動用釦、視点高さを変更するための視点高さ変更用釦を備えて成る」ものとすることは当業者が容易に想到し得たことである。
 　 
 （オ）まとめ（独立特許要件） 
　以上のように、補正後発明の引用発明との相違点i）〜iii）は、いずれも当業者が容易に想到し得たといえるものであり、また補正後発明をその技術的効果を含めて全体としてみても、発明として格別のものがあるとは認められない。 
　よって補正後発明は、上記刊行物１に記載された発明および周知技術に基づいて当業者が容易に発明をすることができたものであり、したがって特許法第２９条第２項の規定により特許出願の際独立して特許を受けることができないものである。 
 　 
（３）むすび（補正却下の決定） 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　よって、補正却下の決定の結論のとおり決定する。
　 
３．本願発明について 
（１）本願発明  
　平成２４年６月１１日付けの手続補正は上記のとおり却下したので、本件出願に係る発明は、平成２３年９月２６日付け手続補正書により補正された特許請求の範囲の請求項１、請求項２に係る各発明であるところ、請求項１に係る発明（以下、これを「本願発明」ともいう）は、当該請求項１の次の記載により特定されるものである。  
 　
「【請求項１】
　コンピュータにより室内の透視図を３次元画像でディスプレー上に表示するインテリアシミュレーションシステムであって、
　該インテリアシミュレーションシステムを、コンピュータと、ディスプレーで構成し、
　上記コンピュータに、
　室内のインテリアを複数の異なるスタイルに区分けすると共にスタイルにより区分けされたそれぞれの室内の３次元形状データ及びテクスチャーデータを蓄積した３次元画データファイルと、
　上記ディスプレー上において表示する透視図の視点位置・観察方向を移動するための視点位置・観察方向移動処理手段と、
　上記ディスプレー上において表示する透視図のスタイルを変更するスタイル変更処理手段とを備え、
　上記ディスプレー上で透視図の３次元画像を表示する３次元画像閲覧ページに、視点位置・観察方向を変更して３次元画像を表示するための視点位置・観察方向移動釦が表示され、
　この視点位置・観察方向移動釦が、視点を前に移動させるための視点前移動用釦、視点を後に移動させるための視点後移動用釦、視点を左に移動させるための視点左移動用釦、視点を右に移動させるための視点右移動用釦、観察方向を移動させるための観察方向移動用釦、視点高さを変更するための視点高さ変更用釦を
　備えて成ることを特徴とするインテリアシミュレーションシステム。」 
 　
（２）刊行物１  
　ａ．刊行物１の記載 
　原査定の拒絶理由に引用された特開平９−１３８８１６号公報（前記の刊行物１、以下「刊行物１」という）には、前記２．（２）イ（イ）の「ａ．刊行物１の記載」に示したとおりの事項が記載されている。 
　
　ｂ．刊行物１記載の発明 
　上記刊行物１には、前記２．（２）イ（イ）の「ｂ．刊行物１記載の発明」に示したとおりの発明が記載されている。 
 　 
（３）対比 、判断
　本願発明は、前記２．（２）イ（ア）で認定した補正後発明との対応でみると、当該補正後発明における「上記ディスプレー上で透視図の３次元画像を表示する３次元画像閲覧ページに、上記表示する透視図の３次元画像の統一したスタイルを変更するための各スタイル毎に設けたスタイル変更釦と、視点位置・観察方向を変更して３次元画像を表示するための視点位置・観察方向移動釦とが表示され、」との特定事項のうちの「上記表示する透視図の３次元画像の統一したスタイルを変更するための各スタイル毎に設けたスタイル変更釦と、」との特定がないだけで、その余の点は補正後発明と同じである。
　したがって、本願発明は、上記刊行物１記載の発明に比し、前記２．（２）イ（ウ）ａ．〜ｆ．で認定した補正後発明と刊行物１記載の発明との前記相違点i），ii），iii）のうち、相違点ii）（本願発明で特定がない事項についての相違点）がなく、相違点i），iii）でのみ相違し、その余の点では刊行物１記載の発明と一致している。
　然るに、上記相違点i），iii）が周知技術から当業者に想到容易なものであることは、前記２．（２）イ（エ）で判断したとおりであり、したがって本願発明は、刊行物１に記載された発明および周知技術に基づいて当業者が容易に発明をすることができたものである。
　
４．むすび  
　以上のとおりであるから、本件出願の請求項１に係る発明は、特許法第２９条第２項の規定により特許を受けることができない。  
　それ故、本件出願の請求項２に係る発明について検討するまでもなく、本願は拒絶されるべきものである。  
　
　よって、結論のとおり審決する。